(57)【要約】【課題】画像を投影させることによって表示する画像表示装置において、高輝度な画像を表示することが可能であると共に、画像が表示されるまでの時間を短縮すること。【解決手段】画像を投影させることによって表示する画像表示装置であって、第一投影部と、第一投影部よりも輝度が低く且つ投影が可能となるまでの時間が短い第二投影部とを備え、電源投入直後は第二投影部により投影を行い、第一投影部による投影が可能となると第一投影部により投影を行う。【選択図】図１
2010217404.tif 000002
【特許請求の範囲】
【請求項１】
第一投影部と、
前記第一投影部よりも輝度が低く且つ投影が可能となるまでの時間が短い第二投影部と、
電源投入直後は前記第二投影部により投影を行い、前記第一投影部による投影が可能となると前記第一投影部により投影を行う制御部と、
を備える画像表示装置。
【請求項２】
前記第二投影部は、前記第一投影部よりも消費電力が低く構成され、
前記制御部は、低消費電力モードに設定された場合には前記第一投影部による投影を行わずに前記第二投影部のみによって投影を行う、
ことを特徴とする請求項１に記載の画像表示装置。
【請求項３】
前記制御部は、前記第一投影部に障害が発生した場合、前記第二投影部により投影を行うことを特徴とする請求項１又は２に記載の画像表示装置。
【請求項４】
前記第一投影部に電力を供給する電源部と、
前記第二投影部に電力を供給する蓄電部と、をさらに備え、
前記制御部は、前記電源部に障害が発生した場合、前記蓄電部により電力を供給し前記第二投影部により投影を行うことを特徴とする請求項１〜３のいずれかに記載の画像表示装置。
【請求項５】
第一投影部と、
前記第一投影部に電力を供給する電源部と、
制御部と、
を備えるプロジェクターと、
前記第一投影部よりも輝度が低く且つ投影が可能となるまでの時間が短い第二投影部と、
前記第二投影部に電力を供給する蓄電部と、
を備え、前記プロジェクターと通信可能に接続される補助プロジェクターと、を含み、
前記制御部は、電源投入直後は前記第二投影部により投影を行い、前記第一投影部による投影が可能となると前記第一投影部により投影を行う、画像表示システム。
【発明の詳細な説明】
【技術分野】
【０００１】
本発明は、画像を表示する画像表示装置及び画像表示システムに関する。
【背景技術】
【０００２】
プロジェクター等の画像表示装置では、スクリーンに高輝度で画像を投影するためにＵＨＥランプ（超高圧水銀ランプ）等のランプが一般的に使用されている。ユーザーは、画像表示装置を利用する場合、電源プラグをコンセントに接続し、電源スイッチをオンにさせてからランプが点灯するまで待機し、ランプの点灯によってスクリーンに投影された画面を見て種々の操作を行っていた。
【０００３】
また、このような画像表示装置において、様々な付加的な機能が提案されている。例えば、画像表示装置を用いたプレゼンテーションにおいて頻繁に使用されるレーザーポインターの駆動用電池を充電する端子構造を有するプロジェクターが提案されている（特許文献１参照）
【先行技術文献】
【特許文献】
【０００４】
【特許文献１】特開２００８−３１９１号公報
【発明の概要】
【発明が解決しようとする課題】
【０００５】
しかしながら、従来の画像表示装置では、ランプの点灯に時間を要してしまうため、例えば実際のプレゼンテーションではなく画像表示装置の設定操作を行う場合のように高輝度な画像が要求されない場合であっても、ランプが転送し画像が表示されるまで長い時間待機しなければならないという問題があった。
【０００６】
上記事情に鑑み、本発明は、高輝度な画像を表示することが可能であると共に、画像が表示されるまでの時間を短縮することが可能な画像表示装置を提供することを目的としている。
【課題を解決するための手段】
【０００７】
本発明の一態様は、画像表示装置であって、第一投影部と、前記第一投影部よりも輝度が低く且つ投影が可能となるまでの時間が短い第二投影部と、電源投入直後は前記第二投影部により投影を行い、前記第一投影部による投影が可能となると前記第一投影部により投影を行う制御部と、を備える。
【０００８】
本発明の一態様は、上記の画像表示装置であって、前記第二投影部は、前記第一投影部よりも消費電力が低く構成され、前記制御部は、低消費電力モードに設定された場合には前記第一投影部による投影を行わずに前記第二投影部のみによって投影を行う、ことを特徴とする。
【０００９】
本発明の一態様は、上記の画像表示装置であって、前記制御部は、前記第一投影部に障害が発生した場合、前記第二投影部により投影を行うことを特徴とする。
【００１０】
本発明の一態様は、上記の画像表示装置であって、前記第一投影部に電力を供給する電源部と、前記第二投影部に電力を供給する蓄電部と、をさらに備え、前記制御部は、前記電源部に障害が発生した場合、前記蓄電部により電力を供給し前記第二投影部により投影を行うことを特徴とする。
【００１１】
本発明の一態様は、画像表示システムであって、第一投影部と、前記第一投影部に電力を供給する電源部と、制御部と、を備えるプロジェクターと、前記第一投影部よりも輝度が低く且つ投影が可能となるまでの時間が短い第二投影部と、前記第二投影部に電力を供給する蓄電部と、を備え、前記プロジェクターと通信可能に接続される補助プロジェクターと、を含み、前記制御部は、電源投入直後は前記第二投影部により投影を行い、前記第一投影部による投影が可能となると前記第一投影部により投影を行う。
【００１２】
本発明によれば、第一投影部により高輝度な画像を表示することが可能であると共に、第二投影部による投影を行うことによって画像が表示されるまでの時間を短縮することが可能となる。
【図面の簡単な説明】
【００１３】
【図１】第一実施形態のプロジェクターの構成を表す概略ブロック図である。
【図２】プロジェクターの動作を表すフローチャートである。
【図３】第二実施形態のプロジェクターシステムの構成を表す概略ブロック図である。
【発明を実施するための形態】
【００１４】
［第一実施形態］
図１は、第一実施形態のプロジェクター１の構成を表す概略ブロック図である。プロジェクター１は、電源部１１、蓄電部１２、画像入力部１３、入力部１４、第一投影部１５、第二投影部１６、制御部１７を備える。
【００１５】
電源部１１は、電源プラグや電源ケーブル等を用いて構成され、電源プラグが商用電源のコンセント等に接続されることによって、電源ケーブルを介して商用電力をプロジェクター１の各機能部に供給する。例えば、電源部１１は、蓄電部１２が蓄電するための電力や、第一投影部１５、第二投影部１６、制御部１７が駆動するための電力を供給する。
【００１６】
蓄電部１２は、鉛蓄電池、リチウムイオン二次電池、ニッケル水素蓄電池、レドックス・フロー電池、亜鉛・塩素電池などの充電式蓄電池を用いて構成され、電源部１１から供給される電力を蓄える。蓄電部１２は、第二投影部１６、制御部１７が駆動するための電力を供給する。
【００１７】
画像入力部１３は、ＰＣ（Personal Computer）等の画像供給装置によって供給される画像の信号をプロジェクター１に入力する。画像入力部１３は、ケーブルコネクタを用いて構成され、ケーブルによって通信可能に接続された画像供給装置から画像信号を入力しても良い。また、画像入力部１３は、ネットワークインタフェースとして構成され、ＬＡＮ（Local Area Network）や無線ＬＡＮ等のネットワークを介して通信可能に接続された画像供給装置から画像信号を入力しても良い。また、画像入力部１３は、ＵＳＢメモリーなどの記録媒体を装着するコネクタを用いて構成され、装着された記録媒体から画像信号を入力しても良い。
【００１８】
入力部１４は、操作用ボタンやスライドバー等の入力装置を用いて構成され、ユーザーによる指示の入力を受け付ける。例えば、入力部１４は、プロジェクター１の第一投影部１５や第二投影部１６による投影の明るさの設定、投影面のサイズの設定、キーストーン（台形歪補正）の設定、フォーカスの設定、音量の設定、コントラスト比の設定、入力の切替え、低消費電力モードの設定等の指示の入力を受け付ける。
【００１９】
第一投影部１５は、ＵＨＥランプ（高圧水銀ランプ）等の高輝度のランプや液晶パネルを用いて構成され、電源部１１により供給される電力によって駆動する。第一投影部１５は、画像入力部１３によって入力された画像を液晶パネルに表示し、液晶パネルに対してランプの光を投射することによって画像をスクリーンに投影する。
【００２０】
第二投影部１６は、ＬＥＤ（Light Emitting Diode：発光ダイオード）ランプ等の点灯までに要する時間の短いランプと液晶パネルを用いて構成され、電源部１１又は蓄電部１２により供給される電力によって駆動する。第二投影部１６は、画像入力部１３によって入力された画像を液晶パネルに表示し、液晶パネルに対してランプの光を投射することによって画像をスクリーンに投影する。
【００２１】
次に、第一投影部１５及び第二投影部１６に用いられるランプについて説明する。第一投影部１５が備えるランプは、第二投影部１６が備えるランプよりも輝度が高く、点灯までに要する時間が長く、消費電力が高い。一方、第二投影部１６が備えるランプは、第一投影部１５が備えるランプよりも輝度が低く、点灯までに要する時間が短く、消費電力が低い。なお、第二投影部１６が備えるランプは上述したように消費電力が小さいため、蓄電部１２によって供給される低い電力によって駆動することが可能である。
【００２２】
制御部１７は、ＣＰＵ（Central Processing Unit）や専用ハードウェア等の演算回路を用いて構成され、プロジェクター１が備える各機能部を制御する。制御部１７は、電源部１１及び蓄電部１２に接続されるスイッチを有し、プロジェクター１の各機能部に対する電力の供給元を切り替える。制御部１７の詳細な動作については後述する。
【００２３】
図２は、プロジェクター１の動作を表すフローチャートである。以下、図２を用いてプロジェクター１の動作について説明する。まず、ユーザーが入力部１４を操作してプロジェクター１の電源をオンにすると（ステップＳ１０１）、制御部１７は、第二投影部１６が電源部１１から電力の供給を受けるようにスイッチを制御し、第二投影部１６に投影を開始させる（ステップＳ１０２）とともに、第一投影部１５の投影準備処理を開始し、蓄電部１２への充電を開始する。投影準備処理とは、投影は行わないが、ランプの点灯を開始する処理である。
【００２４】
次に、制御部１７は、ユーザーが入力部１４を操作することによってプロジェクター１が低消費電力モードに設定されているか否か判断する（ステップＳ１０３）。プロジェクター１が低消費電力モードに設定されている場合（ステップＳ１０３−ＹＥＳ）、制御部１７は、第一投影部１５の投影準備処理を終了し、第一投影部１５による投影を行わずに第二投影部１６のみによる投影を継続する。なお、ステップＳ１０１の電源投入時に既に低消費電力モードに設定されている場合は、ステップＳ１０２において制御部１７は第一投影部１５の投影準備処理を開始しない。
【００２５】
一方、低消費電力モードに設定されていない場合（ステップＳ１０３−ＮＯ）、制御部１７は、電源が投入されてから又は第二投影部によって投影が開始されてから所定の時間が経過したか否か判定する（ステップＳ１０４）。制御部１７は、予め設定された所定の時間が経過するまでは、ステップＳ１０３及びステップＳ１０４の処理を繰り返し実行する（ステップＳ１０４−ＮＯ）。所定の時間が経過すると（ステップＳ１０４−ＹＥＳ）、制御部１７は、第二投影部１６による投影を終了すると共に、第一投影部１５による投影を開始する（ステップＳ１０６）。なお、所定の時間は、第一投影部１５のランプが点灯するのに要する時間以上の長さの時間が設定されることが望ましい。
【００２６】
ステップＳ１０６の後、制御部１７は、第一投影部１５に障害が発生したか否か継続的に監視する（ステップＳ１０７）。第一投影部１５に障害が発生していない場合（ステップＳ１０７−ＮＯ）、制御部１７は第一投影部１５による投影を継続する。一方、第一投影部１５に障害が発生した場合（ステップＳ１０７−ＹＥＳ）、制御部１７は、第一投影部１５による投影を終了し、第二投影部１６による投影を開始する（ステップＳ１０８）。
【００２７】
また、制御部１７は、電源部１１に障害が発生したか否か継続的に監視する（ステップＳ１０９）。電源部１１に障害が発生していない場合（ステップＳ１０９−ＮＯ）、制御部１７はそのままの状態で投影及び蓄電部１２への充電を継続する。一方、電源部１１に障害が発生した場合（ステップＳ１０９−ＹＥＳ）、制御部１７は、蓄電部１２への充電を停止し、スイッチを制御することによって電力供給元を蓄電部１２に変更し（ステップＳ１１０）、第二投影部１６による投影を開始する（ステップＳ１１１）。
【００２８】
このように構成されたプロジェクター１によれば、電源投入直後には第二投影部１６による投影が開始されることによって画像が表示されるまでの時間を短縮することが可能となると共に、その後は第一投影部１５による投影が行われることによって高輝度な画像を表示することが可能となる。
【００２９】
また、プロジェクター１では、低消費電力モードに設定されることによって、第一投影部１５による投影が行われないため、消費電力を低減させることが可能となる。また、一般的にプロジェクター１の各種設定操作などでは高輝度な画像の表示が不要であるため、ユーザーが各種設定操作を行う場合に低消費電力モードに設定することによって、各種設定操作を行うまでの時間を短縮させるとともに、消費電力を低減させることが可能となる。
【００３０】
また、プロジェクター１では、第一投影部１５に障害が発生した場合には、制御部１７による制御によって第二投影部１６による投影が開始される。そのため、プロジェクター１の投影部の障害に対する可用性を向上させることが可能となる。
【００３１】
また、プロジェクター１では、電源部１１に障害が発生した場合には、制御部１７による制御によって蓄電部１２による電力供給のもとで第二投影部１６による投影が開始される。そのため、プロジェクター１の電源部の障害に対する可用性を向上させることが可能となる。
【００３２】
＜変形例＞
蓄電部１２は、電源部１１から供給される電力を蓄えるのではなく、予め電力を蓄えている乾電池を装着するように構成されても良い。
また、第一投影部１５と第二投影部１６とは、液晶パネルを共有するように構成されても良い。
また、第二投影部１６は、図２のステップＳ１０２において、予め設定されているスプラッシュ画像を表示するように構成されても良い。
【００３３】
また、制御部１７は、ステップＳ１０７において第一投影部に障害が発生した場合、又はステップＳ１０９において電源部に障害が発生した場合、第二投影部によって投影を開始するとともに、画像入力部１３から入力される画像ではなく復旧操作に関する画像を投影させるように構成されても良い。従来は投影部や電源部に故障が生じた場合にはユーザーはどのように復旧操作を行えばよいか認識することが困難であったが、このようにプロジェクター１が構成されることにより、ユーザーは容易に復旧操作を認識することが可能となる。復旧操作に関する画面とは、例えば、発生した障害を復旧させるための操作手順を解説した画面や、復旧操作に関するアドバイスを行う電話サービスへの電話番号を表示する画面などである。
【００３４】
また、制御部１７は、所定時間の経過に応じて第一投影部１５による投影を開始するのではなく、第一投影部１５におけるランプが投影可能な状態になったか否かを監視し、第一投影部１５におけるランプが投影可能な状態になったと判断した場合に第一投影部１５による投影を開始するように構成されても良い。
【００３５】
［第二実施形態］
図３は、第二実施形態のプロジェクターシステムの構成を表す概略ブロック図である。第二実施形態のプロジェクターシステムでは、蓄電部及び第二投影部はプロジェクター１とは異なる筐体（補助プロジェクター２）に備えられる。プロジェクターシステムは、プロジェクター１、補助プロジェクター２を含み、プロジェクター１と補助プロジェクター２とはケーブルやネットワークを介して通信可能に接続される。
【００３６】
プロジェクター１は電源部１１、画像入力部１３、入力部１４、第一投影部１５、制御部１７を備える。プロジェクター１が備える各機能部は、第一実施形態と同様に構成されるため説明を省く。
【００３７】
補助プロジェクター２は、蓄電部２１、第二投影部２２、制御部２３を備える。
蓄電部２１は、鉛蓄電池、リチウムイオン二次電池、ニッケル水素蓄電池、レドックス・フロー電池、亜鉛・塩素電池などの充電式蓄電池を用いて構成され、予め電力を蓄えている。蓄電部２１は、第二投影部２２、制御部２３が駆動するための電力を供給する。
【００３８】
第二投影部２２は、制御部１７に代えて制御部２３によって制御される点、電源部１１から電力を供給されない点、プロジェクター１と補助プロジェクター２との間の通信によって画像入力部１３に入力された画像信号を受信し投影を行う点を除き、第二投影部１６と同様に構成される。
【００３９】
制御部２３は、制御部１７の制御に応じて、蓄電部２１によって第二投影部２２を駆動させる。制御部２３の詳細な動作については後述する。
第二実施形態におけるプロジェクターシステムの動作の流れは、制御部１７及び制御部２３が制御を行うことを除いて、図２に表される第一実施形態の動作と同様である。以下、第二実施形態のプロジェクターシステムの動作の流れについて、第一実施形態のプロジェクター１と異なる動作についてのみ説明する。
【００４０】
ユーザーが入力部１４を操作してプロジェクター１の電源をオンにすると（ステップＳ１０１）、制御部１７は制御部２３に対して第二投影部２２による投影の開始指示を送る。制御部２３は、この開始指示に応じて第二投影部２２による投影を開始させる（ステップＳ１０２）。
【００４１】
また、ステップＳ１０４において所定時間が経過すると、制御部１７は制御部２３に対して第二投影部による投影の終了指示を送る。制御部２３は、この終了指示に応じて第二投影部２２による投影を終了させる（ステップＳ１０５）。
【００４２】
また、ステップＳ１０７において第一投影部１５に障害が発生すると、制御部１７は制御部２３に対して第二投影部２２による投影の開始指示を送る。制御部２３は、この開始指示に応じて第二投影部２２による投影を開始させる（ステップＳ１０８）。
【００４３】
また、ステップＳ１０９において電源部１１に障害が発生すると、制御部１７は制御部２３に対して第二投影部２２による投影の開始指示を送る。制御部２３は、この開始指示に応じて第二投影部２２による投影を開始させる（ステップＳ１１１）。
このように構成されたプロジェクターシステムによれば、第一実施形態のプロジェクター１と同様の効果をそうすることができる。また、第二投影部及び蓄電部が別筐体の補助プロジェクター２として構成されるため、第二投影部の可搬性が向上し、複数台のプロジェクター１に対して一台の補助プロジェクター２を使い回すことによってコストを削減することが可能となる。
【００４４】
＜変形例＞
第二実施形態のプロジェクターシステムは、第一実施形態と同様に変形して構成されても良い。
また、制御部１７は、第一投影部１５によって投影を行っている間は、定期的に制御部２３に対して所定の信号を送信し、電源がオフにされた場合には電源がオフになったことを表す信号を送信するように構成されても良い。この場合、制御部２３は、所定の信号を受信してから、電源がオフになったことを表す信号が受信される前に、一定時間以上所定の信号が受信されなかった場合には、電源部１１に障害が発生したと判断して第二投影部２２による投影を開始するように構成されても良い。
【００４５】
以上、この発明の実施形態について図面を参照して詳述してきたが、具体的な構成はこの実施形態に限られるものではなく、この発明の要旨を逸脱しない範囲の設計等も含まれる。
【符号の説明】
【００４６】
１…プロジェクター（画像表示装置），  １１…電源部，  １２…蓄電部，  １３…画像入力部，  １４…入力部，  １５…第一投影部，  １６…第二投影部，  １７…制御部，  ２…補助プロジェクター，  ２１…蓄電部，  ２２…第二投影部，  ２３…制御部
【図１】
2010217404.tif 000003
【図２】
2010217404.tif 000004
【図３】
2010217404.tif 000005